(57)【要約】【解決手段】チップソーにおいて、刃板１の外周に複数の刃袋２と各刃袋２間の台部３とを回転中心線１ａを中心とする回転方向Ｘに沿って交互に並設し、各刃袋２の片側に切刃４を設けている。各台部３の外周には各切刃４の刃先縁４ａを互いに結ぶ切刃回転軌跡面Ｐよりも回転中心線１ａ側で複数の歯部６と複数の溝部７とを回転方向Ｘに沿って交互に並設している。【効果】チップソーの使用時に各切刃４の刃先縁４ａが摩耗して、被切削物の切削面である切刃回転軌跡面Ｐに対し、各歯部６の頂部６ａを互いに結ぶ台面Ｑが接触した場合でも、各歯部６の頂部６ａが被切削物との摩耗により削られながら、各切刃４による切削を引き続き行うことが可能となる。【選択図】図１
0003128590.tif 000002
【実用新案登録請求の範囲】
【請求項１】
刃板の外周に複数の刃袋とこの各刃袋間の台部とを回転中心線を中心とする回転方向に沿って交互に並設し、この各刃袋における回転方向の両側のうち片側に切刃を設けた円形鋸歯において、この各台部の外周には回転中心線を中心とする円形面であってこの各切刃の刃先縁を互いに結ぶ切刃回転軌跡面よりも回転中心線側に凹凸部を形成したことを特徴とする円形鋸歯。
【請求項２】
前記各台部の凹凸部においては、複数の歯部と複数の溝部とが回転方向に沿って交互に並設されていることを特徴とする請求項１に記載の円形鋸歯。
【請求項３】
前記各台部の凹凸部で各歯部の頂部を互いに結ぶ台面において、各歯部の頂部の集合面積は各溝部の集合面積よりも小さくなっていることを特徴とする請求項２に記載の円形鋸歯。
【請求項４】
前記台面は前記切刃回転軌跡面よりも回転中心線側に退避していることを特徴とする請求項３に記載の円形鋸歯。
【請求項５】
前記台面は回転中心線を中心とする円弧面であることを特徴とする請求項４に記載の円形鋸歯。
【請求項６】
前記各切刃は差し込み式のものであることを特徴とする請求項１から請求項５のうちいずれかの請求項に記載の円形鋸歯。
【考案の詳細な説明】
【技術分野】
【０００１】
本考案は、差し込み式切刃を有するチップソーなどの円形鋸歯に関するものである。
【背景技術】
【０００２】
従来、下記特許文献１などで開示されているように、図２に示すチップソーにおいては、刃板１の外周に複数の刃袋２とこの各刃袋２間の台部３とが回転中心線１ａを中心とする回転方向Ｘに沿って交互に並設され、この各刃袋２における回転方向Ｘの両側のうち片側に切刃４が設けられている。この各切刃４の刃先縁４ａを互いに結ぶ円形状の切刃回転軌跡面Ｐに対し、この各台部３の外周に設けられた円弧状の台面Ｑが回転中心線１ａ側に半径差Ｇだけ退避している。
【特許文献１】特開平８−２５１３７号公報
【考案の開示】
【考案が解決しようとする課題】
【０００３】
チップソーを使用すると、各切刃４の刃先縁４ａが摩耗するため、被切削物の切削面である切刃回転軌跡面Ｐと台面Ｑとの間の半径差Ｇは次第に小さくなり、いずれは台面Ｑが切刃回転軌跡面Ｐに接触する。そのため、被切削物の切削面に対する台面Ｑの摩擦抵抗が大きくなって各切刃４による切削を引き続き行うことが難しくなる。
【０００４】
この考案は、チップソーなどの円形鋸歯において、被切削物の切削面である切刃回転軌跡面に対し台部の台面が接触した場合でも、各切刃による切削を引き続き行い得るようにすることを目的としている。
【課題を解決するための手段】
【０００５】
後記実施形態の図面（図１）の符号を援用して本考案を説明する。
請求項１の考案にかかる円形鋸歯は、下記のように構成されている。
この円形鋸歯においては、刃板１の外周に複数の刃袋２とこの各刃袋２間の台部３とを回転中心線１ａを中心とする回転方向Ｘに沿って交互に並設し、この各刃袋２における回転方向Ｘの両側のうち片側に切刃４を設けている。この各台部３の外周には回転中心線１ａを中心とする円形面であってこの各切刃４の刃先縁４ａを互いに結ぶ切刃回転軌跡面Ｐよりも回転中心線１ａ側に凹凸部５を形成している。請求項１の考案では、被切削物の切削面である切刃回転軌跡面Ｐに対する各台部３の凹凸部５の接触面積が小さくなるので、この凹凸部５が被切削物との摩耗により削られながら、各切刃４による切削を引き続き行うことが可能となる。
【０００６】
請求項１の考案を前提とする請求項２の考案にかかる各台部３の凹凸部５においては、複数の歯部６と複数の溝部７とが回転方向Ｘに沿って交互に並設されている。請求項２の考案では、被切削物の切削面である切刃回転軌跡面Ｐに対する各歯部６の頂部６ａの接触面積が小さくなるので、各歯部６の頂部６ａが被切削物との摩耗により削られながら、各切刃４による切削を引き続き行うことが可能となる。
【０００７】
請求項２の考案を前提とする請求項３の考案にかかる各台部３の凹凸部５で各歯部６の頂部６ａを互いに結ぶ台面Ｑにおいて、各歯部６の頂部６ａの集合面積は各溝部７の集合面積よりも小さくなっている。請求項３の考案では、被切削物の切削面である切刃回転軌跡面Ｐに対する各歯部６の頂部６ａの接触面積を小さくすることができる。
【０００８】
請求項３の考案を前提とする請求項４の考案において、前記台面Ｑは前記切刃回転軌跡面Ｐよりも回転中心線１ａ側に退避している。
請求項４の考案を前提とする請求項５の考案において、前記台面Ｑは回転中心線１ａを中心とする円弧面である。
【０００９】
請求項１から請求項５のうちいずれかの請求項の考案を前提とする請求項６の考案において、前記各切刃４は差し込み式のものである。
【考案の効果】
【００１０】
請求項１〜６の考案は、チップソーなどの円形鋸歯において、被切削物の切削面である切刃回転軌跡面Ｐに対し台部３の台面Ｑが接触した場合でも、各切刃４による切削を引き続き行うことが可能となる。
【考案を実施するための最良の形態】
【００１１】
以下、本考案の一実施形態にかかる円形鋸歯ついて図１を参照して説明する。
この円形鋸歯はチップソーであり、刃板１の外周には複数の刃袋２とこの各刃袋２間の台部３とが回転中心線１ａを中心とする回転方向Ｘに沿って交互に並設されている。この各刃袋２における回転方向Ｘの両側のうち片側には切刃４が差し込まれて取着されている。この各切刃４の刃先縁４ａを互いに結ぶ切刃回転軌跡面Ｐは、回転中心線１ａを中心とする円形面になっている。この切刃回転軌跡面Ｐに対し各台部３の外周を回転中心線１ａ側へ若干離すことにより、各切刃４による切削を円滑に行うことができる。このチップソーの使用時には各切刃４に切削力が生じるため、各台部３の外周をこの切刃回転軌跡面Ｐに近付けることにより、その切削力を受ける各台部３の強度を維持しているとともに、各切刃４の欠損を防止している。
【００１２】
前記各台部３の外周には前記切刃回転軌跡面Ｐよりも回転中心線１ａ側に凹凸部５が形成されている。この凹凸部５においては、複数の歯部６と複数の溝部７とが回転方向Ｘに沿って交互に並設されている。この各歯部６の頂部６ａを互いに結ぶ台面Ｑは、回転中心線１ａを中心とする円弧面であって、切刃回転軌跡面Ｐよりも回転中心線１ａ側にある。この台面Ｑにおいては、各歯部６の頂部６ａで回転方向Ｘに沿った面の円周角度は、各溝部７で回転方向Ｘに沿った面の円周角度よりも小さくなっている。そのため、各歯部６の頂部６ａで回転方向Ｘに沿った面の集合面積は、各溝部７で回転方向Ｘに沿った面の集合面積よりも小さくなっている。ちなみに、この切刃回転軌跡面Ｐの半径と台面Ｑの半径との間の半径差Ｇは約０．２〜０．３ｍｍに設定されている。
【００１３】
本実施形態は下記の効果を有する。
＊  チップソーを使用すると、各切刃４の刃先縁４ａが摩耗するため、被切削物の切削面である切刃回転軌跡面Ｐと台面Ｑとの間の半径差Ｇは次第に小さくなり、いずれは台面Ｑが切刃回転軌跡面Ｐに接触する。この台面Ｑは各歯部６の頂部６ａの集合であるため、切刃回転軌跡面Ｐに対する各頂部６ａの接触面積が小さくなる。従って、これらの頂部６ａが被切削物との摩耗により削られながら、各切刃４による切削を引き続き行うことが可能となる。
【００１４】
前記実施形態以外にも下記のように構成してもよい。
・  各台部３の凹凸部５において各歯部６の数を変更する。
・  各台部３の凹凸部５において多数の小突起を回転方向Ｘ及び回転中心線１ａの方向へ配置する。
【００１５】
・  各刃袋２の片側に切刃４を一体に設ける。
・  各台部３の凹凸部５において、台面Ｑを回転中心線１ａを中心とする円弧面でなく、切刃４から隣接する刃袋２に近付くに従い切刃回転軌跡面Ｐに対する間隔を次第に大きくするように台面Ｑを傾斜させる。
【図面の簡単な説明】
【００１６】
【図１】（ａ）は本実施形態にかかるチップソーを示す正面図であり、（ｂ）は同じく部分拡大正面図である。
【図２】（ａ）は従来のチップソーを示す正面図であり、（ｂ）は同じく部分拡大正面図である。
【符号の説明】
【００１７】
１…刃板、１ａ…回転中心線、２…刃袋、３…台部、４…切刃、４ａ…刃先縁、５…凹凸部、６…歯部、６ａ…頂部、７…溝部、Ｐ…切刃回転軌跡面、Ｑ…台部の台面、Ｘ…回転方向。
【図１】
0003128590.tif 000003
【図２】
0003128590.tif 000004